(57)【特許請求の範囲】
【請求項１】
カバー部材とブロック部材との合せ面に装着され、該両部材によって圧縮される弾性体のガスケットと該ガスケットの補強をなすインサート材からなるカバーガスケットであって、
上下両面にガスケットを設けた前記インサート材の内周部及び外周部を延出せしめ、その先部を互いに逆方向へ折曲げて掛かり部を形成し、
前記掛かり部の片方がカバー部材の側面に、もう片方がブロック部材の側面に引っ掛かり締付け装着されることを特徴とするカバーガスケット。
【請求項２】
前記インサート材のカバー部材を拘束する掛かり部の先端にカバー部材と係合するフック部を形成せしめたことを特徴とした請求項１のカバーガスケット。
【発明の詳細な説明】
【０００１】
【産業上の利用分野】
本発明は、自動車等に搭載するエンジンのカバー部材と相手部材であるブロック部材との接合部の密封をなす密封材に関し、具体的には弾性体からなるガスケットと剛性を有するインサート材から形成されたカバーガスケットの形状改良に関する。
【０００２】
【従来の技術】
従来、自動車等に搭載されたエンジンのヘッドカバーあるいはオイルパン等のカバー部材を密封するガスケットは、合成ゴム、コルクあるいは合成樹脂等の弾性体で形成された角あるいは丸形状等の断面形状を持つ環状ガスケットが多く知られている。
これらの環状ガスケットはカバー部材とブロック部材との間に載置されボルト等の締付け具によって締付け装着されており、該締付けによりその圧縮弾性変形をもって互いの部材に密着し求められる密封作用を働かせている。
【０００３】
【発明が解決しようとする課題】
しかしながら、このような環状ガスケットは昨今のエンジンの軽量化要求や装着の簡便化要求等の諸要求に対応出来得ない。
すなわち、昨今においては軽量化と成形の効率性あるいは制振性等の要求からカバー部材を合成樹脂材あるいは軽量金属材によって形成する構造が多くなり、その優位性を発揮せしめるためにより薄く軽量に造形する傾向にある。
このような軽量化された合成樹脂製あるいは軽量金属製のカバー部材にあっては、ブロック部材との合せ面である狭面積のフランジ部に加重の全てが加わるものであって、ブロック部材に環状ガスケットを挟んでカバー部材を締め込み装着すると前記フランジの構造的脆弱部（例えば締め込みボルトのスパン部等）が締め圧に負け、歪んで横逃げ移動する虞がある。
さらに、前記横逃げ移動に加え元々のカバー部材の成形上に起きる成型歪みもあってその変形量は無視できない大きなものとなり、根本的なカバー部材の変形防止対策あるいは形状維持対策が必要となっている。
【０００４】
また、充分な質量をもって変形密着性を高めた合成ゴム等の弾性材料からなる前記ガスケットはその軟質性から自身の形状が正しく保てず、取り扱い性、例えば搬送あるいはカバー部材への装着作業性に大きな難点を持っており、自動車組立ラインではカバー部材に取付けた後該カバー部材を反転せしめて組付けるため、ガスケットのズレ、脱落によるシール不良、あるいはもっと重大な破損に至る場合も有り、簡便で安全な装着構造が求められていた。
さらに昨今では一歩進み、エンジン組立ラインでガスケットを組付けロボットなどを用いてカバー部材へ自動装着する要求さえ起きている。
【０００５】
このような状況にあって、その強度必要部へ絞りを加えたり補強リブを追加したカバー部材が提案されたが、未だ強大な締め込み力に対し満足できる充分な剛性を発揮するカバー部材が得られていない。
またガスケットにおいてはインサート材を挿入一体化した複合ガスケットが考案されているが、この構造では取扱性のみに主眼が置かれているため密封性能をプラスする方向に働かない。
本発明はこのような欠点に鑑み、カバー部材の変形防止をなさしめると共にガスケットの取扱性を向上せしめシール性能をも高めたカバーガスケットを提供することを目的としている。
【０００６】
【課題を解決するための手段】
本発明を図面に基づいて説明すると、図１に示すように、自動車用エンジンのヘッドカバーあるいはオイルパン等のカバー部材１とシリンダヘッドあるいはシリンダブロック等のブロック部材２との接触部である合せ面に装着され、該両部材１、２によって圧縮される合成ゴムあるいは合成樹脂等の弾性体のガスケット３ａと該ガスケット３ａの補強をなす金属製あるいは硬質合成樹脂製等のインサート材３ｂからなるカバーガスケット３であって、上下両面にガスケット３ａを設けた前記インサート材３ｂの内周部及び外周部を延出せしめ、その先部を互いに逆方向へ折曲げて掛かり部３ｃを形成し、前記掛かり部３ｃがそれぞれカバー部材１の側面とブロック部材２の側面に引っ掛り締付け装着されることを特徴としている。
【０００７】
また、カバー部材１とブロック部材２との合せ面に装着され、該両部材１、２によって圧縮される弾性体のガスケット３ａと該ガスケット３ａの補強をなすインサート材３ｂからなるカバーガスケット３であって、図５に示すように前記インサート材３ｂは合せ面に沿って環状の閉ループ形状を構成してその上下両面にガスケット３ａを設けており、該インサート材３ａの内・外どちらかの周面部を延出せしめ折曲げて掛かり部３ｃ（図５では外周側を示す）を形成し、前記掛かり部３をカバー部材１かロック部材２のいずれかの側面に引っ掛けて締付け装着することを特徴としている。
【０００８】
また、前記インサート材３ｂのカバー部材１を拘束する片方の掛かり部３ｃの先端に図２で示すようにカバー部材１と係合するフック部３ｄを形成せしめたことを特徴としている。
【０００９】
【作用】
本発明は上記したように、補強材であるインサート材３ｂの端部を周方向に延ばしこれを折曲げて掛かり部３ｃを形成し、組付け装着時にこの掛かり部３ｃをもってカバー部材１の側面とブロック部材２の側面を拘束せしめ、締付け圧力によって膨らみ変形しようとするカバー部材１の形状維持をなさしめるものであり、互いに逆方向へ折曲げ形成されたインサート材３ｂの掛かり部３ｃがその鈎形状で互いの部材１、２特にその合せ面部を引っ張り合う働きをなしている。
また、インサート材３ｂを合せ面に沿う閉ループ形状とする場合には、該閉ループ形状そのものが強構造体となるので片側のみに掛かり部３ｃを配することができるものとなる。
【００１０】
このようにブロック部材２に対してカバー部材（１）が形状維持されて適性位置で固定されると、インサート材３ｂに形成されたガスケット３ａは正しい接地形状を保って密着し、均等な面圧を保って安定した密封性能を発揮するものとなる。
【００１１】
【実施例】
本発明のカバーガスケット３は図１に示すようにカバー部材１とブロック部材２との合せ面に密着するガスケット３ａをインサート材３ｂの両面に配し、該インサート材３ｂの周面部を内・外方向へ延出折曲げせしめて掛かり部３ｃを形成した積層構造体であって、その成形においては、予めインサート材３ｂの所望形状をプレス成形などして整えた後、ゴム等の弾性体にてガスケット３ａを成形一体化する。
【００１２】
この掛かり部３ｃの造形においては、インサート材３ｂへ周状に設けるかあるいは要所へ部分的に散設して配置され、図１では単純に端部をクランク状に折曲げてカバー部材１のフランジとブロック部材２の端面に掛かり固着する構造を示しているが、他には捻り形状あるいはリブ状の絞り加工など種々の造形が実施可能である。
その例としては、引っ掛り強度を持たせるために、図３に示すような切込みを入れて一部を隆起させた隆起形状部３１ｃとか、または図４に示すように切込み片を縦に折曲げた縦爪形状部３２ｃなどを造形することができ、求められる状況と性能によって選択する。
【００１３】
また、インサート材３ｂは図５に示すように閉ループ形状に設けても良く、この閉ループ形状ではインサート材３が環状に平面的な質量を持つ形状となるのでその周側からの応力に対して高剛性を持つものとなり、よって片方の周面に設けた掛かり部３の引っ張り応力に対しても、該インサート材３自体がこれを吸収するからもう片方の掛かり部３ｃを省略することが可能となる。
【００１４】
さらに、カバー部材１へカバーガスケット３を仮固定せしめ、ブロック部材２への組付け性を向上させる構造として、前記インサート材３ｂのカバー部材１を拘束する片方の掛かり部３ｃの先端に図２で示すようにカバー部材１と係合するフック部３ｄを形成せしめると、該フック部３ｄがカバー部材１の合せ面部と係合し一体化するのでカバー部材１を反転せしめての取り付け作業性が飛躍的に向上する。
【００１５】
【発明の効果】
本発明によると、インサート材３ｂはその剛性により組付け時にカバー部材１とブロック部材２とをしっかり掴み、強大な締付けトルクにあってもカバー部材１の形状変形を許さず正確に形状維持せしめ、適性位置でのガスケット３ａの密着をなさしめて強い密封力を発揮させることができる。
また、インサート材３ｂは剛性材で形成され延出部分を有しているのでカバーガスケット３の変形を防止するのは勿論、該延出部分を掴んでの搬送とか機械での自動組付けが可能となる。
前記のように形成された正確な形状を保って適正に取付けられるカバーガスケット３は締付け圧力に対して均一な面圧を保ち高い密封性と長期の耐久性を約束する。
【図面の簡単な説明】
【図１】本発明の装着状態を示す断面図である。
【図２】本発明の他の実施例を示す略拡大断面図である。
【図３】本発明の他の実施例を示す部分斜視図である。
【図４】本発明の他の実施例を示す部分斜視図である。
【図５】本発明による他のインサート材の実施例を示す斜視図である。
【符号の説明】
１  カバー部材
２  ブロック部材
３  カバーガスケット
３ａ  ガスケット
３ｂ  インサート材
３ｃ  掛かり部
３ｄ  フック部
３１ｃ  隆起形状部
３２ｃ  縦爪形状部
【図１】
0003749802.tif 000002
【図２】
0003749802.tif 000003
【図３】
0003749802.tif 000004
【図４】
0003749802.tif 000005
【図５】
0003749802.tif 000006